(57)【特許請求の範囲】
【請求項１】
依頼者から翻訳者へのプレゼンテーションファイルの翻訳依頼を支援する翻訳支援システムであって、
前記依頼者の情報端末から、前記プレゼンテーションファイルを含む翻訳の依頼に関する依頼情報を受信する依頼情報受信手段と、
前記依頼情報受信手段により受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成手段と、
前記作成手段により作成された加工ファイルを含む翻訳の指示に関する指示情報を前記翻訳者の情報端末に送信する指示情報送信手段と、
前記翻訳者の情報端末から、翻訳済みの加工ファイルを含む納品情報を受信する納品情報受信手段と、
前記納品情報受信手段により受信された翻訳済みの加工ファイルと、前記作成手段により作成された変換情報とに基づいて、翻訳済みのプレゼンテーションファイルを作成するプレゼンテーションファイル作成手段と、
前記プレゼンテーションファイル作成手段により作成された翻訳済みのプレゼンテーションファイルを前記依頼者の情報端末に送信するプレゼンテーションファイル送信手段と、
前記翻訳者に翻訳されたテキストと前記プレゼンテーションファイルから抽出されたテキストとを対応付けて記憶する翻訳済テキスト記憶手段と、
前記依頼者の情報端末から、前記翻訳済みのプレゼンテーションファイルのテキストの内容を修正した修正済みのプレゼンテーションファイルを受信する修正済みファイル受信手段と、
前記修正済みファイル受信手段により受信した修正済みのプレゼンテーションファイルと、前記翻訳済みのプレゼンテーションファイルとに基づいて、修正したテキストを特定する修正テキスト特定手段と、
を備え、
前記プレゼンテーションファイル作成手段は、前記翻訳済みの加工ファイルのテキストのテキストボックスのタグに前記プレゼンテーションファイルの原文を付け、
前記翻訳済テキスト記憶手段は、前記修正テキスト特定手段により特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定手段により特定された修正したテキストを登録し、
前記作成手段は、前記プレゼンテーションファイルから抽出されたテキストから、前記翻訳済テキスト記憶手段に記憶されているテキストを削除して前記加工ファイルを作成するとともに、その変換情報を作成し、
前記プレゼンテーションファイル作成手段は、前記作成手段により削除されたテキストに前記翻訳済テキスト記憶手段で対応付けて記憶されている翻訳されたテキストと、その変換情報とに基づいて、翻訳済みのプレゼンテーションファイルを作成する、ことを特徴とする翻訳支援システム。
【請求項２】
前記翻訳者に翻訳依頼中のテキストを記憶する仕掛かり情報記憶手段をさらに備え、
前記作成手段は、前記プレゼンテーションファイルから抽出されたテキストから、翻訳対象とならないテキスト、重複するテキスト、及び、前記仕掛かり情報記憶手段に記憶されているテキストを削除して前記加工ファイルを作成する、ことを特徴とする請求項１に記載の翻訳支援システム。
【請求項３】
前記加工ファイルは一覧形式のファイルである、ことを特徴とする請求項１または２に記載の翻訳支援システム。
【請求項４】
依頼者から翻訳者へのプレゼンテーションファイルの翻訳依頼を支援する翻訳支援方法であって、
前記依頼者の情報端末から、前記プレゼンテーションファイルを含む翻訳の依頼に関する依頼情報を受信する依頼情報受信ステップと、
前記依頼情報受信ステップで受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成ステップと、
前記作成ステップで作成された加工ファイルを含む翻訳の指示に関する指示情報を前記翻訳者の情報端末に送信する指示情報送信ステップと、
前記翻訳者の情報端末から、翻訳済みの加工ファイルを含む納品情報を受信する納品情報受信ステップと、
前記納品情報受信ステップで受信された翻訳済みの加工ファイルと、前記作成ステップで作成された変換情報とに基づいて、翻訳済みのプレゼンテーションファイルを作成するプレゼンテーションファイル作成ステップと、
前記プレゼンテーションファイル作成ステップで作成された翻訳済みのプレゼンテーションファイルを前記依頼者の情報端末に送信するプレゼンテーションファイル送信ステップと、
前記翻訳者に翻訳されたテキストと前記プレゼンテーションファイルから抽出されたテキストとを対応付けて記憶する翻訳済テキスト記憶ステップと、
前記依頼者の情報端末から、前記翻訳済みのプレゼンテーションファイルのテキストの内容を修正した修正済みのプレゼンテーションファイルを受信する修正済みファイル受信ステップと、
前記修正済みファイル受信ステップで受信した修正済みのプレゼンテーションファイルと、前記翻訳済みのプレゼンテーションファイルとに基づいて、修正したテキストを特定する修正テキスト特定ステップと、
を備え、
前記プレゼンテーションファイル作成ステップでは、前記翻訳済みの加工ファイルのテキストのテキストボックスのタグに前記プレゼンテーションファイルの原文を付け、
前記翻訳済テキスト記憶ステップでは、前記修正テキスト特定ステップで特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定ステップで特定された修正したテキストを登録し、
前記作成ステップでは、前記プレゼンテーションファイルから抽出されたテキストから、前記翻訳済テキスト記憶ステップで記憶されているテキストを削除して前記加工ファイルを作成するとともに、その変換情報を作成し、
前記プレゼンテーションファイル作成ステップでは、前記作成ステップで削除されたテキストに前記翻訳済テキスト記憶ステップで対応付けて記憶されている翻訳されたテキストと、その変換情報とに基づいて、翻訳済みのプレゼンテーションファイルを作成する、ことを特徴とする翻訳支援方法。
【請求項５】
依頼者から翻訳者へのプレゼンテーションファイルの翻訳依頼を支援する翻訳支援システムとして機能させるプログラムであって、
コンピュータを、
前記依頼者の情報端末から、前記プレゼンテーションファイルを含む翻訳の依頼に関する依頼情報を受信する依頼情報受信手段、
前記依頼情報受信手段により受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成手段、
前記作成手段により作成された加工ファイルを含む翻訳の指示に関する指示情報を前記翻訳者の情報端末に送信する指示情報送信手段、
前記翻訳者の情報端末から、翻訳済みの加工ファイルを含む納品情報を受信する納品情報受信手段、
前記納品情報受信手段により受信された翻訳済みの加工ファイルと、前記作成手段により作成された変換情報とに基づいて、翻訳済みのプレゼンテーションファイルを作成するプレゼンテーションファイル作成手段、
前記プレゼンテーションファイル作成手段により作成された翻訳済みのプレゼンテーションファイルを前記依頼者の情報端末に送信するプレゼンテーションファイル送信手段、
前記翻訳者に翻訳されたテキストと前記プレゼンテーションファイルから抽出されたテキストとを対応付けて記憶する翻訳済テキスト記憶手段、
前記依頼者の情報端末から、前記翻訳済みのプレゼンテーションファイルのテキストの内容を修正した修正済みのプレゼンテーションファイルを受信する修正済みファイル受信手段、
前記修正済みファイル受信手段により受信した修正済みのプレゼンテーションファイルと、前記翻訳済みのプレゼンテーションファイルとに基づいて、修正したテキストを特定する修正テキスト特定手段、
として機能させ、
前記プレゼンテーションファイル作成手段は、前記翻訳済みの加工ファイルのテキストのテキストボックスのタグに前記プレゼンテーションファイルの原文を付け、
前記翻訳済テキスト記憶手段は、前記修正テキスト特定手段により特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定手段により特定された修正したテキストを登録し、
前記作成手段は、前記プレゼンテーションファイルから抽出されたテキストから、前記翻訳済テキスト記憶手段に記憶されているテキストを削除して前記加工ファイルを作成するとともに、その変換情報を作成し、
前記プレゼンテーションファイル作成手段は、前記作成手段により削除されたテキストに前記翻訳済テキスト記憶手段で対応付けて記憶されている翻訳されたテキストと、その変換情報とに基づいて、翻訳済みのプレゼンテーションファイルを作成する、ことを特徴とするプログラム。
【発明の詳細な説明】
【技術分野】
【０００１】
本発明は、翻訳支援システム、翻訳支援方法及びプログラムに関する。
【背景技術】
【０００２】
発表会や会議などのプレゼンテーションでは、例えば、スライド形式の資料（プレゼンテーションファイル）を用いて、その内容を発表することが行われている。このようなプレゼンテーションでは、プレゼンテーションファイルの作成に労力を要することから、その労力を軽減するような様々の提案がなされている。
【０００３】
例えば、特許文献１には、タイトルが設定されていないスライドについて、プレゼンテーションファイルからスライド毎のタイトルを抽出するタイトル抽出方法が提案されている。
【特許文献１】特開２００７−２１３４７２号公報
【発明の開示】
【発明が解決しようとする課題】
【０００４】
ところで、プレゼンテーションファイルの作成作業には、スライドに表示される文字を外国語に翻訳する作業が必要な場合がある。このような文字には、同一ファイル内で繰り返し使用されていたり、過去に翻訳したことのある等の翻訳不要な文字が含まれている。このため、効率的な作業（翻訳）を行うには、これらの翻訳不要な文字を除去することが好ましい。また、翻訳作業を翻訳業者等に依頼する場合、これらの文字を除去しないと不要なコストがかかってしまう。このため、翻訳用のファイルを作成する作業が必要になる。
【０００５】
また、翻訳作業を効率的に行うためには、原文と対訳とを左右に対比させて表示することが好ましい。しかし、プレゼンテーションファイルでは、原文とその翻訳文とを左右に対比させて表示することは困難である。
【０００６】
本発明は、上記問題に鑑みてなされたものであり、効率的な翻訳をすることができる翻訳支援システム、翻訳支援方法及びプログラムを提供することを目的とする。
【課題を解決するための手段】
【０００７】
上記目的を達成するため、本発明の第１の観点にかかる翻訳支援システムは、
依頼者から翻訳者へのプレゼンテーションファイルの翻訳依頼を支援する翻訳支援システムであって、
前記依頼者の情報端末から、前記プレゼンテーションファイルを含む翻訳の依頼に関する依頼情報を受信する依頼情報受信手段と、
前記依頼情報受信手段により受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成手段と、
前記作成手段により作成された加工ファイルを含む翻訳の指示に関する指示情報を前記翻訳者の情報端末に送信する指示情報送信手段と、
前記翻訳者の情報端末から、翻訳済みの加工ファイルを含む納品情報を受信する納品情報受信手段と、
前記納品情報受信手段により受信された翻訳済みの加工ファイルと、前記作成手段により作成された変換情報とに基づいて、翻訳済みのプレゼンテーションファイルを作成するプレゼンテーションファイル作成手段と、
前記プレゼンテーションファイル作成手段により作成された翻訳済みのプレゼンテーションファイルを前記依頼者の情報端末に送信するプレゼンテーションファイル送信手段と、
前記翻訳者に翻訳されたテキストと前記プレゼンテーションファイルから抽出されたテキストとを対応付けて記憶する翻訳済テキスト記憶手段と、
前記依頼者の情報端末から、前記翻訳済みのプレゼンテーションファイルのテキストの内容を修正した修正済みのプレゼンテーションファイルを受信する修正済みファイル受信手段と、
前記修正済みファイル受信手段により受信した修正済みのプレゼンテーションファイルと、前記翻訳済みのプレゼンテーションファイルとに基づいて、修正したテキストを特定する修正テキスト特定手段と、
を備え、
前記プレゼンテーションファイル作成手段は、前記翻訳済みの加工ファイルのテキストのテキストボックスのタグに前記プレゼンテーションファイルの原文を付け、
前記翻訳済テキスト記憶手段は、前記修正テキスト特定手段により特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定手段により特定された修正したテキストを登録し、
前記作成手段は、前記プレゼンテーションファイルから抽出されたテキストから、前記翻訳済テキスト記憶手段に記憶されているテキストを削除して前記加工ファイルを作成するとともに、その変換情報を作成し、
前記プレゼンテーションファイル作成手段は、前記作成手段により削除されたテキストに前記翻訳済テキスト記憶手段で対応付けて記憶されている翻訳されたテキストと、その変換情報とに基づいて、翻訳済みのプレゼンテーションファイルを作成する、ことを特徴とする。
【０００８】
前記翻訳者に翻訳依頼中のテキストを記憶する仕掛かり情報記憶手段をさらに備えてもよい。この場合、前記作成手段は、例えば、前記プレゼンテーションファイルから抽出されたテキストから、翻訳対象とならないテキスト、重複するテキスト、及び、前記仕掛かり情報記憶手段に記憶されているテキストを削除して前記加工ファイルを作成する。
前記加工ファイルは一覧形式のファイルであることが好ましい。
【０００９】
本発明の第２の観点にかかる翻訳支援方法は、
依頼者から翻訳者へのプレゼンテーションファイルの翻訳依頼を支援する翻訳支援方法であって、
前記依頼者の情報端末から、前記プレゼンテーションファイルを含む翻訳の依頼に関する依頼情報を受信する依頼情報受信ステップと、
前記依頼情報受信ステップで受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成ステップと、
前記作成ステップで作成された加工ファイルを含む翻訳の指示に関する指示情報を前記翻訳者の情報端末に送信する指示情報送信ステップと、
前記翻訳者の情報端末から、翻訳済みの加工ファイルを含む納品情報を受信する納品情報受信ステップと、
前記納品情報受信ステップで受信された翻訳済みの加工ファイルと、前記作成ステップで作成された変換情報とに基づいて、翻訳済みのプレゼンテーションファイルを作成するプレゼンテーションファイル作成ステップと、
前記プレゼンテーションファイル作成ステップで作成された翻訳済みのプレゼンテーションファイルを前記依頼者の情報端末に送信するプレゼンテーションファイル送信ステップと、
前記翻訳者に翻訳されたテキストと前記プレゼンテーションファイルから抽出されたテキストとを対応付けて記憶する翻訳済テキスト記憶ステップと、
前記依頼者の情報端末から、前記翻訳済みのプレゼンテーションファイルのテキストの内容を修正した修正済みのプレゼンテーションファイルを受信する修正済みファイル受信ステップと、
前記修正済みファイル受信ステップで受信した修正済みのプレゼンテーションファイルと、前記翻訳済みのプレゼンテーションファイルとに基づいて、修正したテキストを特定する修正テキスト特定ステップと、
を備え、
前記プレゼンテーションファイル作成ステップでは、前記翻訳済みの加工ファイルのテキストのテキストボックスのタグに前記プレゼンテーションファイルの原文を付け、
前記翻訳済テキスト記憶ステップでは、前記修正テキスト特定ステップで特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定ステップで特定された修正したテキストを登録し、
前記作成ステップでは、前記プレゼンテーションファイルから抽出されたテキストから、前記翻訳済テキスト記憶ステップで記憶されているテキストを削除して前記加工ファイルを作成するとともに、その変換情報を作成し、
前記プレゼンテーションファイル作成ステップでは、前記作成ステップで削除されたテキストに前記翻訳済テキスト記憶ステップで対応付けて記憶されている翻訳されたテキストと、その変換情報とに基づいて、翻訳済みのプレゼンテーションファイルを作成する、ことを特徴とする。
【００１０】
本発明の第３の観点にかかるプログラムは、
依頼者から翻訳者へのプレゼンテーションファイルの翻訳依頼を支援する翻訳支援システムとして機能させるプログラムであって、
コンピュータを、
前記依頼者の情報端末から、前記プレゼンテーションファイルを含む翻訳の依頼に関する依頼情報を受信する依頼情報受信手段、
前記依頼情報受信手段により受信されたプレゼンテーションファイルに記載されたテキストを抽出し、抽出したテキストから翻訳者への翻訳指示が必要なテキストを選択し、当該選択したテキストからなる加工ファイルを作成するとともに、当該加工ファイルをプレゼンテーションファイルに変換するための変換情報を作成する作成手段、
前記作成手段により作成された加工ファイルを含む翻訳の指示に関する指示情報を前記翻訳者の情報端末に送信する指示情報送信手段、
前記翻訳者の情報端末から、翻訳済みの加工ファイルを含む納品情報を受信する納品情報受信手段、
前記納品情報受信手段により受信された翻訳済みの加工ファイルと、前記作成手段により作成された変換情報とに基づいて、翻訳済みのプレゼンテーションファイルを作成するプレゼンテーションファイル作成手段、
前記プレゼンテーションファイル作成手段により作成された翻訳済みのプレゼンテーションファイルを前記依頼者の情報端末に送信するプレゼンテーションファイル送信手段、
前記翻訳者に翻訳されたテキストと前記プレゼンテーションファイルから抽出されたテキストとを対応付けて記憶する翻訳済テキスト記憶手段、
前記依頼者の情報端末から、前記翻訳済みのプレゼンテーションファイルのテキストの内容を修正した修正済みのプレゼンテーションファイルを受信する修正済みファイル受信手段、
前記修正済みファイル受信手段により受信した修正済みのプレゼンテーションファイルと、前記翻訳済みのプレゼンテーションファイルとに基づいて、修正したテキストを特定する修正テキスト特定手段、
として機能させ、
前記プレゼンテーションファイル作成手段は、前記翻訳済みの加工ファイルのテキストのテキストボックスのタグに前記プレゼンテーションファイルの原文を付け、
前記翻訳済テキスト記憶手段は、前記修正テキスト特定手段により特定された修正したテキストのテキストボックスのタグに付けられた原文を特定し、記憶されているプレゼンテーションファイルから抽出されたテキストの中から特定した原文と対応付けて記憶されている翻訳されたテキストに換えて前記修正テキスト特定手段により特定された修正したテキストを登録し、
前記作成手段は、前記プレゼンテーションファイルから抽出されたテキストから、前記翻訳済テキスト記憶手段に記憶されているテキストを削除して前記加工ファイルを作成するとともに、その変換情報を作成し、
前記プレゼンテーションファイル作成手段は、前記作成手段により削除されたテキストに前記翻訳済テキスト記憶手段で対応付けて記憶されている翻訳されたテキストと、その変換情報とに基づいて、翻訳済みのプレゼンテーションファイルを作成する、ことを特徴とする。
【発明の効果】
【００１１】
本発明によれば、効率的な翻訳をすることができる。
【発明を実施するための最良の形態】
【００１２】
以下、本発明の翻訳支援システム、翻訳支援方法及びプログラムについて説明する。本発明の翻訳支援システムは、プレゼンテーションファイルに記載されたテキストの翻訳作業を支援する場合を例に説明する。なお、本実施の形態では、プレゼンテーションソフトとしてマイクロソフト社のＰｏｗｅｒ Ｐｏｉｎｔ（登録商標）を用いた場合を例に本発明を説明する。図１に本実施の形態の翻訳支援システムの構成を示す。
【００１３】
図１に示すように、翻訳支援システムは、翻訳支援サーバ１と、翻訳支援データベース２と、通信ネットワーク３と、通信ネットワーク３を介して接続された利用者用端末４（４ａ〜４ｎ）と、通信ネットワーク３を介して接続された翻訳者用端末５（５ａ〜５ｍ）と、を備えている。
【００１４】
翻訳支援サーバ１は、翻訳支援システムに関する各種の処理をするためのものである。図２に翻訳支援サーバ１の構成を示す。図２に示すように、翻訳支援サーバ１は、通信制御部１１と、処理制御部１２と、データ記憶部１３と、を備えている。
【００１５】
通信制御部１１は、例えば、ルータなどの所定の通信装置から構成され、翻訳支援サーバ１と通信ネットワーク３とを接続する。通信制御部１１は、例えば、通信ネットワーク３を介して、利用者用端末４、及び、翻訳者用端末５に各種データ（情報）の送受信を行う。
【００１６】
処理制御部１２は、通信制御部１１を介して通信を行い、また、各種の情報を処理する。処理制御部１２は、例えば、ＣＰＵ（Central Processing Unit）を備え、データ記憶部１３から読み出した動作プログラムを実行する等により各種の処理を実行する。
【００１７】
データ記憶部１３は、半導体メモリ、磁気ディスク記録装置などから構成され、各種の情報やプログラムを記録する。
【００１８】
翻訳支援データベース２は、翻訳支援システムに関する各種の情報を記憶するデータベース（ＤＢ）である。図３に翻訳支援データベース２の構成を示す。図３に示すように、翻訳支援データベース２は、利用者情報ＤＢ２１と、翻訳者情報ＤＢ２２と、依頼情報ＤＢ２３と、加工ファイル情報ＤＢ２４と、翻訳済情報ＤＢ２５と、仕掛かり情報ＤＢ２６と、納品情報ＤＢ２７と、画像情報ＤＢ２８と、を備えている。
【００１９】
利用者情報ＤＢ２１は、翻訳支援システムの利用者に関する情報を記憶するデータベースである。利用者情報ＤＢ２１には、例えば、図４に示すように、利用者ＩＤ、会社名、所属、氏名、電話番号、メールアドレス、パスワード等が記憶されている。ここで、利用者ＩＤは、利用者の識別情報である。パスワードは、利用者が翻訳支援システムにログインするためのパスワードである。
【００２０】
翻訳者情報ＤＢ２２は、翻訳支援システムの翻訳者に関する情報を記憶するデータベースである。翻訳者情報ＤＢ２２には、例えば、利用者情報ＤＢ２１と同様に、翻訳者ＩＤ、会社名、所属、氏名、電話番号、メールアドレス、パスワード等が記憶されている。ここで、翻訳者ＩＤは、翻訳者の識別情報である。パスワードは、翻訳者が翻訳支援システムにログインするためのパスワードである。
【００２１】
また、本実施の形態では、翻訳者情報ＤＢ２２には、翻訳者の翻訳作業スケジュールが記憶されている。翻訳作業スケジュールは、今後の翻訳作業のスケジュールである。翻訳支援サーバ１（処理制御部１２）は、この記憶された翻訳作業スケジュールと、後述する依頼者が指定した翻訳期限とに基づいて、最適な翻訳者を決定する。
【００２２】
依頼情報ＤＢ２３は、利用者が翻訳支援システムに翻訳を依頼した内容に関する情報を記憶するデータベースである。依頼情報ＤＢ２３には、例えば、図５に示すように、依頼番号、依頼者（利用者）ＩＤ、翻訳期限、翻訳するファイル（ＰＰＴファイル）等が記憶されている。
【００２３】
加工ファイル情報ＤＢ２４は、依頼者から翻訳を依頼されたファイル（ＰＰＴファイル）を、翻訳者に翻訳を指示するために加工した加工ファイル等に関する情報を記憶するデータベースである。加工ファイル情報ＤＢ２４には、図６に示すように、依頼番号、加工ファイル等が記憶されている。
【００２４】
翻訳者に翻訳を指示するために加工した加工ファイルは、例えば、図７（ｂ）に示すような一覧形式のファイルである。この加工ファイルは、例えば、図７（ａ）に示すようなＰＰＴファイルのスライドのシェイプから翻訳対象となるテキストを抽出し、抽出したテキストを原文の欄にコピーすることにより作成される。翻訳対象でないテキストとしては、例えば、ローマ字、英数字、翻訳対象が単語であり翻訳結果が明らかなもの、テキストボックスの上にその全てを覆い被すようにして、不透明な別なオブジェクトがあるテキスト等がある。変換情報は、抽出したテキストをＰＰＴファイルに戻すのに必要な情報である。変換情報としては、例えば、スライド番号、シェイプ（テキストエリア）の番号、位置、テキストデータ、文字数、フォントなどがある。
【００２５】
ここで、翻訳者に翻訳を指示するために加工した加工ファイルは、依頼者から翻訳を依頼されたファイル（ＰＰＴファイル）から抽出したテキストから、重複するテキスト、以前翻訳したテキスト、現在翻訳指示中のテキストを削除したテキストのみが記憶されたファイルである。すなわち、加工ファイルは、依頼者から翻訳を依頼されたファイルから、翻訳対象となるテキストを抽出し、この抽出したテキストから、翻訳済情報ＤＢ２５及び仕掛かり情報ＤＢ２６に記憶されているテキストを削除したファイルである。このように、翻訳済情報ＤＢ２５及び仕掛かり情報ＤＢ２６に記憶されているテキストを削除しているので、翻訳が必要なテキストのみを翻訳指示することができる。このため、効率的な翻訳を行うことができる。
【００２６】
翻訳済情報ＤＢ２５は、既に翻訳されたテキストに関する情報を記憶するデータベースである。翻訳済情報ＤＢ２５には、原文とその翻訳文とが対応付けて記憶されている。
【００２７】
仕掛かり情報ＤＢ２６は、翻訳者に翻訳を指示中のテキストの原文に関する情報を記憶するデータベースである。仕掛かり情報ＤＢ２６には、指示番号毎に、指示したテキストの原文が記憶されている。
【００２８】
納品情報ＤＢ２７は、翻訳者から納品された内容に関する情報を記憶するデータベースである。納品情報ＤＢ２７には、例えば、図８に示すように、納品番号、依頼番号、利用者ＩＤ、納品日、翻訳したファイル（一覧形式のファイル）等が記憶されている。
【００２９】
画像情報ＤＢ２８は、後述する各処理で表示される様々な画像を構成する情報を記憶するデータベースであり、これらの画像を生成するための様々な素材の画像、各種フォームなどを記憶する。
【００３０】
通信ネットワーク３は、例えば、ＴＣＰ／ＩＰ（Transmission Control Protocol/Internet Protocol）などの所定の通信プロトコルに基づくインターネット、ＬＡＮ（Local Area Network）、ＷＡＮ（Wide Area Network）などの通信ネットワークである。
【００３１】
利用者用端末４は、例えば、通信機能を有するコンピュータなどから構成されている。また、利用者用端末４は、プレゼンテーションソフト、本実施の形態では、マイクロソフト社のＰｏｗｅｒ Ｐｏｉｎｔ（登録商標）を使用可能なコンピュータなどから構成されている。利用者用端末４は、例えば、後述する各処理における操作入力等に用いられている。
【００３２】
翻訳者用端末５は、例えば、通信機能を有するコンピュータなどから構成されている。翻訳者用端末５は、例えば、後述する各処理における操作入力等に用いられている。
【００３３】
次に、以上のように構成された翻訳支援システムを用いた翻訳支援方法について説明する。以下、事前登録、ログイン、翻訳依頼処理、納品処理、登録処理の順に説明する。
【００３４】
（事前登録）
利用者及び翻訳者が本発明の翻訳支援システムを利用するには、翻訳支援システムに事前登録し、本システムにログインすることが必要になる。以下、利用者が事前登録する場合について説明する。
【００３５】
利用者は、利用者用端末４から通信ネットワーク３を介して翻訳支援サーバ１に、利用者の氏名、メールアドレス等の情報を送信する。翻訳支援サーバ１（処理制御部１２）は、利用者の氏名等の情報を受け取ると、利用者ＩＤ及びパスワードを発行し、例えば、メールで利用者用端末４に利用者ＩＤ及びパスワードを送信する。また、処理制御部１２は、受信した所定の情報、利用者ＩＤ及びパスワードを利用者情報ＤＢ２１に登録する。これにより、利用者による事前登録が完了する。なお、本システムに管理者を設け、この管理者が事前登録を行うようにしてもよい。
【００３６】
（ログイン）
利用者は、利用者用端末４から通信ネットワーク３を介して、翻訳支援サーバ１により提供されるＷｅｂサイトにアクセスし、受信したＩＤ（ログイン名）及びパスワードを入力する。処理制御部１２は、送信されたログイン名及びパスワードから利用者であると認めると、例えば、図９に示すような利用者用メニュー画面の情報（ＨＴＭＬ形式の情報）を画像情報ＤＢ２８から読み出して、利用者用端末４に送信し、利用者用端末４に利用者用メニュー画面を表示する。利用者用メニュー画面には、図９に示すように、翻訳を依頼する「翻訳依頼処理」、修正した翻訳文を登録する「登録処理」等のメニュー欄が配置されている。利用者は、利用者用端末４を操作して、この利用者用メニュー画面から、「翻訳依頼処理」をクリックすることにより、本システムの翻訳支援を受けることができる。
【００３７】
また、翻訳者が翻訳者用端末５を操作し、同様の手順を行うことにより、翻訳者による事前登録、及びログインが完了する。翻訳者によるログインが完了すると、翻訳者用端末５には、翻訳したファイルを納品する「納品処理」等のメニュー欄が配置された翻訳用メニュー画面が表示される。翻訳者は、翻訳者用端末５を操作して、この翻訳用メニュー画面から、例えば、「納品処理」をクリックすることにより、本システムの翻訳支援を受けることができる。
【００３８】
（翻訳依頼処理）
翻訳依頼処理は、翻訳依頼を支援する処理である。図１０は、翻訳依頼処理を説明するためのフローチャートである。
【００３９】
まず、処理制御部１２は、図９に示す利用者用メニュー画面を画像情報ＤＢ２８から読み出して、利用者用端末４に利用者用メニュー画面を表示させる（ステップＳ１）。次に、処理制御部１２は利用者用メニュー画面から「翻訳依頼処理」が選択されているか否かを判別する（ステップＳ２）。すなわち、利用者が利用者用端末４を操作して、利用者用メニュー画面から「翻訳依頼処理」をクリックしたか否かを判別する。処理制御部１２は「翻訳依頼処理」がクリックされていないと判別すると（ステップＳ２；Ｎｏ）、この処理を終了する。
【００４０】
処理制御部１２は、「翻訳依頼処理」がクリックされていると判別すると（ステップＳ２；Ｙｅｓ）、翻訳依頼用画面を画像情報ＤＢ２８から読み出して、利用者用端末４に送信し、利用者用端末４に翻訳依頼用画面を表示する（ステップＳ３）。利用者は、利用者用端末４を操作して、例えば、翻訳期限等の必要な情報を入力するとともに、翻訳を依頼するＰＰＴファイルを添付する。
【００４１】
次に、処理制御部１２は、必要な情報が入力され、ＰＰＴファイルが添付されているか否かを判別する（ステップＳ４）。処理制御部１２は、これに該当しないと判別すると（ステップＳ４；Ｎｏ）、該当しない旨の情報を利用者用端末４に表示（送信）し、利用者に再度、必要な情報の入力、ＰＰＴファイルの添付を求める。処理制御部１２は、これに該当すると判別すると（ステップＳ４；Ｙｅｓ）、受信した必要な情報及びＰＰＴファイルを依頼情報ＤＢに登録する（ステップＳ５）。
【００４２】
続いて、処理制御部１２は、ファイル加工処理を実行する（ステップＳ５）。ファイル加工処理は、ＰＰＴファイルから翻訳対象となるテキストを抽出し、抽出したテキストから、以前翻訳したテキスト、現在翻訳指示中のテキストを削除して翻訳が必要なテキストのみに加工する処理である。図１１は、ファイル加工処理を説明するためのフローチャートである。
【００４３】
まず、処理制御部１２は、ＰＰＴファイルの最初のスライドを取得する（ステップＳ１１）。次に、処理制御部１２は、取得したスライドの最初のシェイプを取得する（ステップＳ１２）。続いて、処理制御部１２は、取得したシェイプに記載されたテキストを段落毎に分解し（ステップＳ１３）、最初の段落のテキストを取得する（ステップＳ１４）。
【００４４】
ここで、シェイプからのテキストを抽出する際に、シェイプが表の場合には表の行列からテキストを抽出する。また、シェイプがグループ化されている場合には、グループを構成するシェイプ単位でテキストを抽出する。これにより、ＰＰＴファイルに記載された全てのテキストを抽出することができる。
【００４５】
次に、処理制御部１２は、取得した段落のテキストが翻訳不要か否かを判別する（ステップＳ１５）。具体的には、処理制御部１２は、取得した段落のテキストがローマ字、英数字、単語であって翻訳結果が明らかなもの等に該当するか否かを判別する。処理制御部１２は、翻訳不要であると判別すると（ステップＳ１５；Ｙｅｓ）、ステップＳ２０に進む。
【００４６】
処理制御部１２は、翻訳不要でないと判別すると（ステップＳ１５；Ｎｏ）、このＰＰＴファイルのファイル加工処理において、同じテキストがあったか否かを判別する（ステップＳ１６）。すなわち、処理制御部１２は、同じＰＰＴファイル内に同じテキストがあったか否かを判別する。処理制御部１２は、同じテキストがあったと判別すると（ステップＳ１６；Ｙｅｓ）、ステップＳ２０に進む。
【００４７】
処理制御部１２は、同じテキストはないと判別すると（ステップＳ１６；Ｎｏ）、以前翻訳したテキストと同じであるか否かを判別する（ステップＳ１７）。具体的には、処理制御部１２は、翻訳済情報ＤＢ２５に記憶されているテキストと同じであるか否かを判別する。処理制御部１２は、以前翻訳したテキストと同じであると判別すると（ステップＳ１７；Ｙｅｓ）、ステップＳ２０に進む。
【００４８】
処理制御部１２は、以前翻訳したテキストと同じでないと判別すると（ステップＳ１７；Ｎｏ）、現在翻訳指示中のテキストと同じであるか否かを判別する（ステップＳ１８）。具体的には、処理制御部１２は、仕掛かり情報ＤＢ２６に記憶されているテキストと同じであるか否かを判別する。処理制御部１２は、現在翻訳指示中のテキストと同じであると判別すると（ステップＳ１８；Ｙｅｓ）、ステップＳ２０に進む。
【００４９】
処理制御部１２は、現在翻訳指示中のテキストと同じでないと判別すると（ステップＳ１８；Ｎｏ）、例えば、図７に示すように、このテキストを加工ファイルの原文の欄に登録する（ステップＳ１９）。また、このテキストをＰＰＴファイルに戻すのに必要な情報を変換情報に登録する（ステップＳ２０）。ＰＰＴファイルに戻すのに必要な情報として、例えば、このテキストの記載されているスライド番号、シェイプ番号、段落番号、テキストデータ、文字数、フォントなどを変換情報に記憶する。
【００５０】
また、テキストが翻訳不要である、同じテキストがあった、以前翻訳したテキストと同じである、現在翻訳指示中のテキストと同じであると判断した場合も、このテキストをＰＰＴファイルに戻すのに必要な情報を変換情報に登録する。この場合、ＰＰＴファイルに戻すのに必要な情報として、前述の情報に、さらに、このテキストが翻訳不要である旨の情報、同じＰＰＴファイルのテキスト、以前翻訳したテキスト、現在翻訳指示中のテキストのどのテキストと同じであるかの情報を加え、変換情報に記憶する。
【００５１】
次に、処理制御部１２は、この段落が最後の段落であるか否かを判別する（ステップＳ２１）。処理制御部１２は、この段落が最後の段落でないと判別すると（ステップＳ２１；Ｎｏ）、次の段落のテキストを取得し（ステップＳ２２）、ステップＳ１５に戻る。すなわち、取得した次の段落のテキストについても同様の処理を実行し、加工ファイルへの登録及びこの変換情報を記憶する。
【００５２】
続いて、処理制御部１２は、このシェイプが最後のシェイプであるか否かを判別する（ステップＳ２３）。処理制御部１２は、このシェイプが最後のシェイプでないと判別すると（ステップＳ２３；Ｎｏ）、次のシェイプを取得し（ステップＳ２４）、ステップＳ１３に戻る。次に、処理制御部１２は、このスライドが最後のスライドであるか否かを判別する（ステップＳ２５）。処理制御部１２は、このスライドが最後のスライドでないと判別すると（ステップＳ２５；Ｎｏ）、次のスライドを取得し（ステップＳ２６）、ステップＳ１２に戻る。このように、全てのスライドの全てのシェイプに記載されているテキストについて、同様の処理を実行し、加工ファイルへの登録及びこの変換情報を記憶する。そして、この処理を終了する。これにより、翻訳者に翻訳を指示するために加工ファイル、及び、変換情報を作成することができる。
【００５３】
次に、処理制御部１２は、翻訳者情報ＤＢ２２に記憶された翻訳作業スケジュールと、依頼情報ＤＢ２３に記憶された翻訳期限とに基づいて、最適な翻訳者を決定する（ステップＳ７）。続いて、処理制御部１２は、作成した加工ファイル及び翻訳期限等の必要な情報を、決定した翻訳者の翻訳者用端末５に送信し、この翻訳者に翻訳を指示する（ステップＳ８）。そして、処理制御部１２は、翻訳を指示したテキストの原文を仕掛かり情報ＤＢ２６に登録し（ステップＳ９）、この処理を終了する。
【００５４】
このように、テキストが翻訳不要であったり、同一のＰＰＴファイル内に同じテキストがあったり、翻訳済情報ＤＢ２５及び仕掛かり情報ＤＢ２６に記憶されているテキストと同じであると、加工ファイルに登録しないので、翻訳が必要なテキストのみを翻訳者に翻訳指示することができる。このため、効率的な翻訳に寄与することができる。
【００５５】
また、加工ファイルが一覧形式のファイルであるため、翻訳者が翻訳を行うことが容易になる。このため、効率的な翻訳に寄与することができる。
【００５６】
（納品処理）
納品処理は、翻訳者が指示された翻訳の納品を支援する処理である。図１２は、納品処理を説明するためのフローチャートである。
【００５７】
まず、処理制御部１２は、翻訳者用メニュー画面を画像情報ＤＢ２８から読み出して、翻訳者用端末５に翻訳者用メニュー画面を表示させる（ステップＳ３１）。次に、処理制御部１２はメニュー画面から「納品処理」が選択されているか否かを判別する（ステップＳ３２）。すなわち、翻訳者が翻訳者用端末５を操作して、メニュー画面から「納品処理」をクリックしたか否かを判別する。処理制御部１２は「納品処理」がクリックされていないと判別すると（ステップＳ３２；Ｎｏ）、この処理を終了する。
【００５８】
処理制御部１２は、「納品処理」がクリックされていると判別すると（ステップＳ３２；Ｙｅｓ）、納品用画面を画像情報ＤＢ２８から読み出して、翻訳者用端末５に送信し、翻訳者用端末５に納品用画面を表示する（ステップＳ３３）。翻訳者は、翻訳者用端末５を操作して、必要な情報を入力するとともに、翻訳した加工ファイルを添付する。
【００５９】
次に、処理制御部１２は、必要な情報の入力、加工ファイルの添付が行われているか否か、すなわち、納品に問題がないか否かを判別する（ステップＳ３４）。処理制御部１２は、納品に問題があると判別すると（ステップＳ３４；Ｎｏ）、その旨の情報を翻訳者用端末５に表示（送信）し、翻訳者に再度、必要な情報の入力、加工ファイルの添付を求める。処理制御部１２は、納品に問題ないと判別すると（ステップＳ３４；Ｙｅｓ）、受信した必要な情報及び加工ファイルを納品情報ＤＢ２７に登録する（ステップＳ３５）。
【００６０】
続いて、処理制御部１２は、ＰＰＴファイル作成処理を実行する（ステップＳ３６）。ＰＰＴファイル作成処理は、翻訳された加工ファイル等からテキストが翻訳されたＰＰＴファイルを作成する処理である。図１３は、ＰＰＴファイル作成処理を説明するためのフローチャートである。また、図１４は、ＰＰＴファイル作成処理の概要を説明するための図である。図１４では、ＰＰＴファイルのテキスト（ａ）が加工ファイルの翻訳文、テキスト（ｂ）が同一ＰＰＴ内で重複するテキスト、テキスト（ｃ）が翻訳済情報ＤＢ２５に記憶された翻訳文により置き換えられる場合を示している。
【００６１】
まず、処理制御部１２は、納品情報ＤＢ２７に登録された加工ファイルの翻訳文、及び、翻訳済情報ＤＢ２５に記憶されたテキストの翻訳文から、テキストの翻訳結果を取得する（ステップＳ４１）。また、同一ＰＰＴ内で重複するテキストについては、図１４に示すように、納品情報ＤＢ２７に登録された翻訳文を流用する。なお、後述するように、テキストが翻訳されると、その原文と翻訳文とが翻訳済情報ＤＢ２５に記憶されるとともに、対応するテキストに関する情報が仕掛かり情報ＤＢ２６から削除されるので、納品情報ＤＢ２７に登録された翻訳文、及び、翻訳済情報ＤＢ２５に記憶されたテキストの翻訳文から、テキストの翻訳結果が取得される。
【００６２】
次に、処理制御部１２は、翻訳依頼したＰＰＴファイルを取得し、翻訳文に置き換えるテキストが記載されたシェイプを取得する（ステップＳ４２）。続いて、処理制御部１２は、図１４に示すように、取得したシェイプのテキストを翻訳文に置き換え（ステップＳ４３）、置き換えたテキストのテキストボックスのタグに原文を付ける（ステップＳ４４）。なお、置き換えたテキストのテキストボックスのタグに原文を付けるのは、翻訳文とその原文とを対応付けるためであり、その詳細については、登録処理において説明する。
【００６３】
次に、処理制御部１２は、翻訳文への置き換えが完了したか否かを判別する（ステップＳ４４）。処理制御部１２は、翻訳文への置き換えが完了していないと判別すると（ステップＳ４４；Ｎｏ）、ステップＳ４２に戻る。処理制御部１２は、翻訳文への置き換えが完了していると判別すると（ステップＳ４４；Ｙｅｓ）、この処理を終了する。
【００６４】
次に、処理制御部１２は、作成されたＰＰＴファイルを利用者用端末４に送信する（ステップＳ３７）。続いて、処理制御部１２は、翻訳されたテキストを、その原文と翻訳文とを対応付けて翻訳済情報ＤＢ２５に記憶する（ステップＳ３８）。また、処理制御部１２は、翻訳されたテキストを仕掛かり情報ＤＢ２６から削除し（ステップＳ３９）、この処理を終了する。
【００６５】
（登録処理）
登録処理は、利用者が受信したＰＰＴファイルの翻訳文を修正した場合に、この修正した翻訳内容を翻訳済情報ＤＢ２５に登録する処理である。図１５は、登録処理を説明するためのフローチャートである。
【００６６】
まず、処理制御部１２は、図９に示す利用者用メニュー画面を画像情報ＤＢ２８から読み出して、利用者用端末４に利用者用メニュー画面を表示させる（ステップＳ５１）。次に、処理制御部１２は利用者用メニュー画面から「登録処理」が選択されているか否かを判別する（ステップＳ５２）。処理制御部１２は「登録処理」がクリックされていないと判別すると（ステップＳ５２；Ｎｏ）、この処理を終了する。
【００６７】
処理制御部１２は、「登録処理」がクリックされていると判別すると（ステップＳ５；Ｙｅｓ）、登録するＰＰＴファイルを送信するように指示する画面を画像情報ＤＢ２８から読み出して、利用者用端末４に送信し、利用者用端末４に登録するＰＰＴファイルの送信を求める（ステップＳ５３）。利用者は、利用者用端末４を操作して、登録するＰＰＴファイルを送信する。
【００６８】
次に、処理制御部１２は、ＰＰＴファイルを受信したか否かを判別する（ステップＳ５４）。処理制御部１２は、受信していないと判別すると（ステップＳ５４；Ｎｏ）、受信されていない旨の情報を利用者用端末４に表示（送信）し、利用者に再度、ＰＰＴファイルの送信を求める。
【００６９】
処理制御部１２は、受信したと判別すると（ステップＳ５４；Ｙｅｓ）、受信したＰＰＴファイルから修正した翻訳文を特定する（ステップＳ５５）。処理制御部１２は、例えば、納品情報ＤＢに記憶されているＰＰＴファイルの中から、受信したＰＰＴファイルに対応するＰＰＴファイルを特定し、この特定したＰＰＴファイルと受信したＰＰＴファイルとを比較することにより修正した翻訳文を特定する。続いて、処理制御部１２は、特定した翻訳文のテキストボックスのタグに付けられた原文を特定し（ステップＳ５６）、この翻訳文と原文とを対応付けて翻訳済情報ＤＢ２５に登録し（ステップＳ５７）、この処理を終了する。
【００７０】
このように、置き換えたテキストのテキストボックスのタグに原文が付けられているので、翻訳されたＰＰＴファイルを利用者が修正した場合にも、修正したＰＰＴファイルを翻訳支援サーバ１に送信するだけで、修正結果を簡単に翻訳済情報ＤＢ２５に登録することができる。また、翻訳済情報ＤＢ２５に登録されている翻訳文がより正確なものとなり、次回以降の翻訳の精度向上に寄与することができる。
【００７１】
なお、本発明は、上記の実施の形態に限られず、種々の変形、応用が可能である。以下、本発明に適用可能な他の実施の形態について説明する。
【００７２】
例えば、翻訳支援サーバ１に構文解析を行うプログラムを記憶し、翻訳を依頼するＰＰＴファイルのテキストを機械的に構文解析して主語述語を抜き出し、加工ファイルのテキスト（原文）に、翻訳者用に主語及び述語を自動作成してもよい。この場合、効率的な翻訳を行うことができる。
【００７３】
また、翻訳支援データベース２に、各技術分野の専門用語、特殊用語などに関する情報を記憶する用語情報ＤＢを設け、加工ファイル中に、翻訳を指示するテキストに関連する単語を記憶してもよい。この場合、翻訳者は、効率的な翻訳を行うことができる。
【００７４】
さらに、テキストエリア内に入る文字数を規定してもよい。この場合、例えば、規定文字数を超えると文字大きさ等を自動的に変更したり、警告音を発したりすることが好ましい。
【００７５】
また、翻訳者は、加工ファイル及び必要な情報に加え、さらに変換情報を受信することにより、翻訳者用端末５において、一覧形式のファイルから元のＰＰＴファイルの形式に変更して表示できるようにしてもよい。この場合、翻訳者は、プレゼンテーションファイル全体の繋がりを見て翻訳することができる。
【００７６】
上記実施の形態では、翻訳者の翻訳作業スケジュールと翻訳期限とに基づいて翻訳者を決定する場合を例に本発明を説明したが、例えば、翻訳者情報ＤＢに翻訳者の得意分野を登録し、その登録された得意分野に基づいて翻訳者を決定してもよい。また、前回関連の翻訳を行った翻訳者に翻訳してもらうように、利用者が翻訳者の指定を可能としてもよい。
【００７７】
上記実施の形態では、加工ファイルが一覧形式のファイルの場合を例に本発明を説明したが、加工ファイルのファイル形式は、一覧形式に限定されるものではなく、種々の形式であってもよい。
【００７８】
上記実施の形態では、プレゼンテーションソフトの一例として、マイクロソフト社のＰｏｗｅｒ Ｐｏｉｎｔ（登録商標）を用いた場合を例に本発明を説明したが、本発明はこれに限定されるものではなく、種々のプレゼンテーションソフトに適用可能である。
【００７９】
本実施の形態にかかる翻訳支援サーバ１は、専用のシステムによらず、通常のコンピュータシステムを用いて実現可能である。例えば、汎用コンピュータに、上述の処理を実行するためのプログラムを格納した記録媒体（フレキシブルディスク、ＣＤ−ＲＯＭなど）から当該プログラムをインストールすることにより、上述の処理を実行する翻訳支援サーバ１を構成することができる。
【００８０】
そして、これらのプログラムを供給するための手段は任意である。上述のように所定の記録媒体を介して供給できる他、例えば、通信回線、通信ネットワーク、通信システムなどを介して供給してもよい。この場合、例えば、通信ネットワークの掲示板（ＢＢＳ）に当該プログラムを掲示し、これをネットワークを介して搬送波に重畳して提供してもよい。そして、このように提供されたプログラムを起動し、ＯＳの制御下で、他のアプリケーションプログラムと同様に実行することにより、上述の処理を実行することができる。
【図面の簡単な説明】
【００８１】
【図１】本発明の実施の形態に係る翻訳支援システムの構成を示す図である。
【図２】図１の翻訳支援サーバの構成を示す図である。
【図３】図１の翻訳支援データベースの構成を示す図である。
【図４】利用者情報データベースの一例を示す図である。
【図５】依頼情報データベースの一例を示す図である。
【図６】加工ファイル情報データベースの一例を示す図である。
【図７】加工ファイルを説明するための図である。
【図８】納品情報データベースの一例を示す図である。
【図９】利用者用メニュー画面の一例を示す図である。
【図１０】翻訳依頼処理を説明するためのフローチャートである。
【図１１】ファイル加工処理を説明するためのフローチャートである。
【図１２】納品処理を説明するためのフローチャートである。
【図１３】ＰＰＴファイル作成処理を説明するためのフローチャートである。
【図１４】ＰＰＴファイル作成処理の概要を説明するための図である。
【図１５】登録処理を説明するためのフローチャートである。
【符号の説明】
【００８２】
１    翻訳支援サーバ
２    翻訳支援データベース
３    通信ネットワーク
４    利用者用端末
５    翻訳者用端末
１１  通信制御部
１２  処理制御部
１３  データ記憶部
２１  利用者情報データベース
２２  翻訳者情報データベース
２３  依頼情報データベース
２４  加工ファイル情報データベース
２５  翻訳済情報データベース
２６  仕掛かり情報データベース
２７  納品情報データベース
２８  画像情報データベース
【図１】
0005272407.tif 000002
【図２】
0005272407.tif 000003
【図３】
0005272407.tif 000004
【図４】
0005272407.tif 000005
【図５】
0005272407.tif 000006
【図６】
0005272407.tif 000007
【図７】
0005272407.tif 000008
【図８】
0005272407.tif 000009
【図９】
0005272407.tif 000010
【図１０】
0005272407.tif 000011
【図１１】
0005272407.tif 000012
【図１２】
0005272407.tif 000013
【図１３】
0005272407.tif 000014
【図１４】
0005272407.tif 000015
【図１５】
0005272407.tif 000016